(57)【要約】      （修正有）【課題】尿を汚染させることなく簡単に採取でき、掃除の手間を少なくすることができるペット用採尿セットとペットの尿採取方法を提供する。【解決手段】ペット用採尿セットは、トイレ本体と、該トイレ本体内を上層部分Ａ及び下層部分Ｂに区画する尿透過性の仕切層３とを備え、前記下層部分Ｂに、尿を受けるためのトレー（尿受け部）４を有するペット用トイレを含んで構成されている。ペット用採尿セットは、シート状の非吸水性部材７を更に備える。非吸水性部材７は、ペット用採尿セットの使用時に、仕切層３に直面するようにトレー４内に配置される。又、ペットの尿採取方法は、ペット用採尿セットを用いた方法であって、ペットから排泄されて非吸水性部材７上に落下した尿を密封可能な容器に吸い取って採取するものである。【選択図】図３
2020080788.tif 000002
【特許請求の範囲】
【請求項１】
トイレ本体と、該トイレ本体内を上層部分及び下層部分に区画する尿透過性の仕切層とを備え、前記下層部分に、尿を受けるための尿受け部を有するペット用トイレを含んで構成されるペット用採尿セットであって、
前記ペット用採尿セットは、シート状の非吸水性部材を更に備え、
前記非吸水性部材は、前記ペット用採尿セットの使用時に、前記仕切層に直面するように前記尿受け部内に配置されるペット用採尿セット。
【請求項２】
前記非吸水性部材は、前記ペット用トイレの前記尿受け部の底面積よりも大きな面積を有し、且つ前記ペット用採尿セットの使用時に、該非吸水性部材の周縁部が前記尿受け部の周壁に沿って立ち上がるように該尿受け部内に配置される請求項１記載のペット用採尿セット。
【請求項３】
前記ペット用採尿セットは、シート状の液透過性部材及び液保持性の吸収体を更に備え、該液透過性部材と前記非吸水性部材との間に前記吸収体が配置されている請求項１又は２に記載のペット用採尿セット。
【請求項４】
前記尿受け部は、前記トイレ本体に対して出し入れ可能なトレーであり、該トレーは、平面視で略四角形状を有している請求項１〜３の何れか１項に記載のペット用採尿セット。
【請求項５】
前記ペット用採尿セットは、シート状の吸水性部材を更に備え、
前記ペット用採尿セットの使用時に、前記吸水性部材における吸水可能部位が前記仕切層に対向し、且つ前記非吸水性部材が、該吸水性部材上に重なるとともに該仕切層に直面するように、該吸水性部材及び該非吸水性部材が前記尿受け部内に配置される請求項１〜４の何れか１項に記載のペット用採尿セット。
【請求項６】
前記吸水性部材は、前記尿受け部の底面積よりも大きな面積を有し、且つ前記ペット用採尿セットの使用時に、該吸水性部材の周縁部が前記尿受け部の周壁に沿って立ち上がるように該尿受け部内に配置される請求項５記載のペット用採尿セット。
【請求項７】
前記非吸水性部材が第１白色部を有し、
前記非吸水性部材は、前記ペット用採尿セットの使用時に、第１白色部が前記仕切層に直面するように、前記尿受け部内に配置される請求項１〜６の何れか１項に記載のペット用採尿セット。
【請求項８】
前記吸水性部材における前記吸水可能部位が第２白色部を有し、
前記非吸水性部材が透明部を有し、
前記ペット用採尿セットの使用時に、第２白色部上に前記透明部が位置するように、前記吸水性部材及び前記非吸水性部材が前記尿受け部内に配置される請求項５又は６記載のペット用採尿セット。
【請求項９】
前記非吸水性部材が、尿の色を判断するための指標となる色見本部を有し、
前記非吸水性部材は、前記ペット用採尿セットの使用時に、前記色見本部が前記仕切層に直面するように、前記尿受け部内に配置される請求項１〜８の何れか１項に記載のペット用採尿セット。
【請求項１０】
ペットから排泄されて前記非吸水性部材上に落下した尿を採取するための請求項１〜９の何れか１項に記載のペット用採尿セット。
【請求項１１】
前記請求項１〜１０の何れか１項に記載のペット用採尿セットを用いたペットの尿採取方法であって、
前記ペットから排泄されて前記非吸水性部材上に落下した尿を吸い取って密封可能な容器に移し替えるか、或いは吸引機能を有する密封可能な容器で尿を直接吸い取って採取するペットの尿採取方法。
【請求項１２】
前記ペットは、猫である請求項１１記載のペットの尿採取方法。
【発明の詳細な説明】
【技術分野】
【０００１】
本発明は、ペット用採尿セット及びこれを用いたペットの尿採取方法に関する。
【背景技術】
【０００２】
例えば、屋内で猫や犬等のペットの排泄物を処理するためのペット用トイレが既に提案されて実用に供されている。このペット用トイレは、トイレ本体と、該トイレ本体内を上層部分と下層部分とに区画する尿透過性の仕切層を備え、前記下層部分に、尿を受けるためのトレー等の尿受け部を設けて構成されている（例えば、特許文献１参照）。
【０００３】
ところで、ペットの健康管理の一環として、ペットの尿を採取して該ペットの健康状態を検査することが行われている。この検査は、ペットの腎臓病、肝臓病、下部尿路疾患、糖尿病等の早期発見に有効であり、尿のｐＨ値や比重の測定、尿の色や濁り具合等の目視観察等によって行われている。
【０００４】
ペットがペット用トイレで排泄する場合、そのペットの尿を採取する方法の１つとして、ペットから排泄されて尿受け部であるトレーで受けられた尿をトレーから採尿カップ等に移し替えて採取することが行われている。この場合、トレーに受けられた尿を採尿カップ等へ容易に移し替えることができるように、トレーに注ぎ口を設ける提案が本出願人によってなされている（特許文献２参照）。
【先行技術文献】
【特許文献】
【０００５】
【特許文献１】特開２００７−１７４９１８号公報
【特許文献２】特開２０１１−００４６６４号公報
【発明の概要】
【発明が解決しようとする課題】
【０００６】
しかしながら、ペット用トイレのトレーに受けられた尿をそのまま採尿カップ等に移し替える尿採取方法を採用した場合、トレーが汚れていると、尿が雑菌等によって汚染されてしまい、尿検査が正確に行われない可能性がある。このため、トレーを清潔に保つ必要があり、その手間が大変であるという問題がある。そして、採尿後にはトレーが尿で汚れてしまうため、トレーを掃除しなければならず、その手間も大変で飼い主の肉体的負担が大きいという問題がある。
【０００７】
本発明は上記問題に鑑みてなされたもので、その課題は、尿を汚染させることなく簡単に採取でき、掃除の手間を少なくすることができるペット用採尿セット及びペットの尿採取方法を提供することにある。
【課題を解決するための手段】
【０００８】
本発明は、トイレ本体と、該トイレ本体内を上層部分及び下層部分に区画する尿透過性の仕切層とを備え、前記下層部分に、尿を受けるための尿受け部を有するペット用トイレを含んで構成されるペット用採尿セットであって、
前記ペット用採尿セットは、シート状の非吸水性部材を更に備え、
前記非吸水性部材は、前記ペット用採尿セットの使用時に、前記仕切層に直面するように前記尿受け部内に配置されるペット用採尿セットを提供するものである。
【０００９】
本発明は、上記ペット用採尿セットを用いたペットの尿採取方法であって、
前記ペットから排泄されて前記非吸水性部材上に落下した尿を吸い取って密封可能な容器に移し替えるか、或いは吸引機能を有する密封可能な容器で尿を直接吸い取って採取するペットの尿採取方法を提供するものである。
【発明の効果】
【００１０】
本発明によれば、尿を汚染させることなく簡単に採取でき、掃除の手間を少なくすることができる。
【図面の簡単な説明】
【００１１】
【図１】図１は本発明に係るペット用採尿セットの排泄物処理材を省略して示す斜視図である。
【図２】図２は本発明に係るペット用採尿セットの斜視図である。
【図３】図３は本発明に係るペット用採尿セットの分解斜視図である。
【図４】図４は本発明に係るペット用採尿セットにおけるトレーへの非吸水性部材の配置構造を示す断面図である。
【図５】図５は非吸水性部材の表面に形成された第１白色部と色見本部を示す平面図である。
【図６】図６（ａ）〜（ｄ）は本発明に係るペットの尿採取方法をその工程順に示す図である。
【図７】図７（ａ）及び（ｂ）は本発明に係るペットの尿採取方法を示す図である。
【図８】図８（ａ）〜（ｃ）は本発明の他の実施形態を示すトレーの断面図である。
【発明を実施するための形態】
【００１２】
以下に本発明のペット用採尿セットの一実施形態を添付図面に基づいて説明する。
先ず、本発明に係るペット用採尿セットの構成を図１〜図３に基づいて以下に説明する。
【００１３】
図１は本発明に係るペット用採尿セットの排泄物処理材を省略して示す斜視図、図２は同ペット用採尿セットの斜視図、図３は同ペット用採尿セットの分解斜視図であり、本発明に係るペット用採尿セット１０は、基本的にペット用トイレ１と、該ペット用トイレ１のトレー４内に敷設される非吸水性部材７（図３参照）とを有している。
【００１４】
ペット用トイレ１は、以下のように構成されている。
即ち、ペット用トイレ１は、トイレ本体２と、該トイレ本体２内を上層部分Ａ及び下層部分Ｂに区画する尿透過性の仕切層３とを備えており、下層部分Ｂには、尿を受けるための尿受け部を構成するトレー４がトイレ本体２に対して出し入れ可能に設けられている。図２に示すように、仕切層３上には、多孔質構造を有する粒状やペレット状の多数の排泄物処理材（チップ）２０が敷設される。排泄物処理材２０は、後述の内容器６内に収容される。
【００１５】
トイレ本体２は、上面が開口する矩形ボックス状の外容器５と、該外容器５内に着脱可能に装着された矩形トレー状の内容器６とを備えている。ここで、外容器５は、図３に示すように、底面を形成する平坦な底壁５１と、該底壁５１の周縁から立ち上がって当該外容器５の側面を形成する周壁５２とを有している。底壁５１と周壁５２によって囲まれた内側部分に内容器６とトレー４とが収容される。
【００１６】
図３に示すように、内容器６も外容器５と同様に底壁６１と周壁６２を有している。底壁６１と周壁６２によって囲まれた内側部分に、仕切層３上に敷設される多数の排泄物処理材２０（図２参照）が収容される。底壁６１は、尿透過性の仕切層３として機能する。即ち、内容器６の底壁６１は、略矩形の板状部材で構成されており、これには細長い矩形
スリット状の複数の貫通孔６３が上下方向に貫設されている。複数の貫通孔６３は、長手方向及び幅方向にそれぞれ所定の間隔をおいて整然と配列されており、各貫通孔６３の幅は、粒状の排泄物処理材２０（図２参照）が通過しない程度の大きさに設定されている。
【００１７】
トレー４は、底面を形成する平坦な底壁４１と、該底壁４１の周縁から斜めに立ち上がって当該トレー４の側面を形成する側壁４２，４３，４４とを有しており、平面視で略四角形状を成す容器として構成されている。ここで、トレー４の底壁４１は、外容器５の底壁５１と同等の面積を有している。トレー４の側壁４２〜４４の高さは、その上端部が内容器６の底壁６１（仕切層３）に接触しない値に設定されている。尚、トレー４の側壁４２，４３は、何れも当該トレー４の長手方向（後述するトレー４の引き出し方向Ｘ）と直交するＹ方向（トレー４の幅方向）に延びており、一方の側壁４２は、当該トレー４の引き出し方向Ｘの前端側に位置し、他方の側壁４３は、引き出し方向Ｘの後端側に位置している。そして、トレー４の側壁４４は、当該トレー４の引き出し方向Ｘ（長手方向）に延びている。
【００１８】
前述のように、トレー４は、トイレ本体２（外容器５）に対して出し入れ可能であり、図３に示すように、外容器５の周壁５２の長手方向（図３のＸ方向）の一方（トレー４の引き出し方向Ｘの前端側）に位置する部分には、幅方向に細長い矩形スリット状の開口部５２ａが形成されている。従って、トレー４は、開口部５２ａを通過してトイレ本体２（外容器５）から図３の矢印方向Ｘに引き出すことができるとともに、引き出したトレー４を開口部５２ａに差し込んでこれを矢印方向Ｘとは逆方向に押し込むことによって該トレー４をトイレ本体２（外容器５）内に収納することができる。ここで、外容器５に形成された開口部５２ａの形状及び大きさは、トレー４の引き出し方向Ｘと直交するＹ方向（幅方向）の断面の形状及び大きさと略同じになるように設定されている。又、トレー４の長手方向（引き出し方向Ｘ）の長さは、外容器５の長手方向の長さと同等に設定されている。
【００１９】
図３に示すように、トレー４の引き出し方向Ｘの前端側に位置する側壁４２の上端には、トレー４の外側方に向かって略水平に延びるフランジ部４５が一体に延設されている。フランジ部４５の先端部には、鉛直下方に向かって延びる返し部４６が一体に形成されており、この返し部４６は、トレー４を引き出す際に指を引っ掛けるための把手として機能する。
【００２０】
トイレ本体２を構成するトレー４と外容器５及び内容器６（仕切層３）の材質としては、耐食性を有するものであれば特に制限はないが、軽量で取り扱い易く、成形性に優れているものが好ましい。具体的には、ポリプロピレン、ポリエチレン、ポリエチレンテレフタレート、塩化ビニル、アクリロニトリル−ブタジエン−スチレン共重合体（ＡＢＳ）等の汎用の合成樹脂が好適に用いられる。又、トイレ本体２の表面には、撥水加工や抗菌加工を施すことが好ましい。
【００２１】
多数の排泄物処理材２０は、トイレ本体２の仕切層３（内容器６の底壁６１）上に敷設された状態で図２に示すように内容器６内に収容される。排泄物処理材２０としては、ペットの尿の組成や特性に影響を与えないか、殆んど与えないものが好ましく、例えば、ガラスや、ポリプロピレン、ポリエチレン等の合成樹脂や、玉砂利等の鉱物等から成るものが好適に使用される。又、この排泄物処理材２０の形状としては、例えば、円筒形状、球状、立方体、直方体等が選定される。
【００２２】
ペット用採尿セット１０の有する非吸水性部材７は、非吸水性の可撓性のシート状部材である。非吸水性部材７は、例えば、全体が尿を透過しない非吸水性の薄いフィルムによって構成されており、食品等を包むために一般家庭においても使用されているラップ等で
あっても良い。非吸水性部材７は、シート状の液透過性部材と、液難透過性のシート状の非吸水性部材と、それら部材の間に配された液保持性の吸収体とを具備するペット用トイレシートにおける該非吸水性部材であっても良い。また、非吸水性部材７は、プラスチック製或いはアルミニウム製の矩形状の部材であっても良い。
【００２３】
非吸水性部材７は、ペット用採尿セット１０の使用時に、仕切層３に直面するようにトレー４内に配置されるものである。仕切層３に直面するとは、非吸水性部材７と仕切層３との間に他の構成部材が何ら配されることなく、仕切層３に最も近い位置に非吸水性部材７が配置されることを意味する。
【００２４】
図３及び図４に示す本実施形態においては、非吸水性部材７として、トレー４の底壁４１の面積と同等の面積を有する大きさの矩形のフィルム状のものが使用されている。該非吸水性部材７は、トレー４の底壁４１上にほぼぴったり嵌め込まれた状態で敷設される。
【００２５】
図５に示すように、非吸水性部材７の表面における尿が落下する箇所には、印刷等によって矩形の第１白色部７１が形成されており、この第１白色部７１の近傍には、非吸水性部材７上に落下して溜められる尿の色を判断するための指標となる色見本部７２が印刷等によって形成されている。第１白色部７１及び色見本部７２は、ペット用採尿セット１０の使用時に、仕切層３に直面するようにトレー４内に配置される。尚、本実施形態では、色見本部７２は、濃い黄色に着色された黄色部分７２ａと、薄い黄色に着色された薄黄色部分７２ｂ及び赤色に着色された赤色部分７２ｃの３つに区画されている。
【００２６】
次に、以上のように構成されたペット用採尿セット１０を用いてペットの尿を採取する方法について説明する。尚、以下においては、ペットが猫である場合の尿の採取方法について説明する。
【００２７】
ペット用採尿セット１０は、例えば、屋内の水平な床面上に図２に示す状態で設置されてペットである猫の排泄に供される。猫は、ペット用トイレ１のトイレ本体２を乗り越えて内容器６内に収容された排泄物処理材２０の上に載った状態で排泄を行う。そして排泄物処理材２０によって消臭された尿は、内容器６の底壁６１（仕切層３）に形成された貫通孔６３（図１及び図３参照）を通過して落下し、外容器５内に収容されたトレー４によって受けられる。ここで、ペット用採尿セット１０では、図４に示すように、フィルム状の非吸水性部材７が仕切層３に直面するようにトレー４内に配置されているため、猫によって排泄された尿は、図６（ａ）に示すように、非吸水性部材７上に落下して溜まる。
【００２８】
非吸水性部材７上に尿が落下して溜まると、トレー４の返し部４６(図３参照）に手を掛けてトレー４をトイレ本体２の外容器５から図３の矢印方向Ｘに引き出す。そして、引き出されたトレー４の底壁４１上に敷設された非吸水性部材７上に溜まった尿は、図６（ｂ）に示すように、例えば、スポイト等の吸引具８によって吸い取ることができ、ペットから排泄される尿を汚染させることなく簡単に採取でき、掃除の手間を少なくすることができる。この吸引具８に吸い取られた尿は、図６（ｃ）に示すように、一端が開口する密封可能な細い有底筒状の容器９に移し替えられる。そして、尿が収容された容器９の開口部は、図６（ｄ）に示すように、栓９ａによって密閉される。内部に尿が密封された容器９は、例えば動物病院に持ち込まれる。動物病院では、持ち込まれた容器９内の尿のｐＨ値や比重の測定、尿検査紙による評価、尿の色や濁り具合等の目視観察等によって所要の尿検査が行われる。この尿検査は、猫の腎臓病、肝臓病、下部尿路疾患、糖尿病等の疾患の早期発見に有効である。
【００２９】
本実施形態では、図５に示すように、非吸水性部材７の表面には、第１白色部７１が形成されている。そのため、この第１白色部７１上に落下して溜まった尿の色を正確に判別
することができる。図５に示す実施形態では、この第１白色部７１において判別された尿の色は、非吸水性部材７の表面に形成された色見本部７２の黄色部分７２ａ、薄黄色部分７２ｂ及び赤色部分７２ｃに着色された色（濃い黄色、薄い黄色及び赤色）と比較することもできる。この比較によって、尿の色が濃い黄色である場合には、猫の健康状態は正常であり、尿の色が薄い黄色である場合には、腎臓病が疑われ、尿の色が赤色である場合には、血尿であることが疑われる。このように尿の色を猫の飼い主自身が観察することによって、飼い主自身が猫の健康状態を或る程度判断することができる。
【００３０】
図５に示す実施形態においては、非吸水性部材７の表面に、第１白色部７１及び色見本部７２が形成されているが、第１白色部７１及び色見本部７２の少なくとも一方を形成しなくてもよい。また、非吸水性部材７の表面の一部に第１白色部７１を形成する代わりに、非吸水性部材７の表面の全体にわたって第１白色部７１を形成してもよい。非吸水性部材７の表面の全体にわたって第１白色部７１を形成するときには、該第１白色部７１内に色見本部７２を形成することが好ましい。
【００３１】
ペット用採尿セット１０を用いてペットの尿を採取する他の例としては、図７（ａ）に示すように、しょう油差し等のような吸引機能を有する密閉可能な容器３０を用いる方法である。容器３０のキャップ３１を外した状態で、非吸水性部材７上に溜まった尿を容器３０によって直接吸い取る。このように尿を汚染させることなくペットから排泄される尿を簡単に採取でき、掃除の手間を少なくすることができる。その後、図７（ｂ）に示すように、該容器３０をキャップ３１によって密封する。この方法によって尿を密封した容器３０は、例えば動物病院に持ち込まれて尿検査に供される。
【００３２】
以上のように、本実施形態によれば、トレー４の底壁４１上に非吸水性部材７を仕切層３に直面するように敷設している。その為、猫から排出されて落下する尿を非吸水性部材７によって受け、この非吸水性部材７上に溜まった尿を採取することができる。採取された尿は、トレー４の汚れによって汚染されることがなく、ペットから排泄される尿を簡単に採取できる。また例えば採取された尿を検査することによって猫の種々の疾患を早期に発見することができる。そして、尿を採取した後に非吸水性部材７をトレー４から取り除けば、トレー４には尿が付着することがないため、尿を採取した後にトレー４を掃除する必要がなく、そのための手間を省略して飼い主の肉体的負担を軽減することができる。
【００３３】
本実施形態では、トレー４をトイレ本体２（外容器５）から引き出し、非吸水性部材７上に溜まった尿をスポイト等の吸引具８、又はしょう油差し等の吸引可能な容器３０で吸い取る。吸引具８で吸い取った尿を容器９に移し替えた後、該容器９に栓９ａをして尿を容器９に密封する（図６参照）。或いは容器３０に尿を吸い取った後に該容器３０をキャップ３１によって密閉する（図７参照）。容器９又は容器３０に密封した猫の尿は例えば動物病院に持ち込むことができる。
【００３４】
次に、本発明のペット用採尿セットの他の実施形態を図８（ａ）〜（ｃ）に基づいて以下に説明する。他の実施形態については、上述した実施形態と異なる構成部分を主として説明し、同様の構成部分は同一の符号を付して説明を省略する。特に説明しない構成部分は、上述した実施形態についての説明が適宜適用される。
【００３５】
図８（ａ）に示す例においては、トレー４の底壁４１上に敷設された非吸水性部材７として、トレー４の底面積よりも大きな面積を有するフィルム状のものを用いている。該非吸水性部材７は、ペット用採尿セット１０の使用時に、その周縁部がトレー４の側壁４２〜４４に沿って立ち上げるようにトレー４内に配置される。このように配置されることによって、非吸水性部材７上に落下して溜まった尿がトレー４へと溢れるという不具合の発生を防ぐことができ、ペットから排泄される尿を簡単に採取できる。尚、図８（ａ）に示
す非吸水性部材７においても、非吸水性部材７の表面に、図５に示す第１白色部７１や色見本部７２が設けられていても良い。
【００３６】
図８（ｂ）に示すペット用採尿セットは、フィルム状の非吸水性部材７に加えて、シート状の吸収性部材としてのペット用トイレシート１７を更に備えている。ペット用トイレシート１７は、シート状の液透過性部材１６と、液難透過性のシート状の非吸水性部材１８と、それら部材１６，１８の間に配された液保持性の吸収体１９とを具備する。ペット用トイレシート１７は、ペット用採尿セット１０の使用時に、ペット用トイレシート１７における吸水可能部位である液透過性部材１６が仕切層３に対向するように、トレー４内に配置される。そして、ペット用トイレシート１７の非吸水性部材１８は、トレー４の底面積よりも大きな面積を有している。該非吸水性部材１８は、ペット用採尿セット１０の使用時に、その周縁部がトレー４の側壁４２〜４４に沿って立ち上げるようにトレー４内に配置される。このように配置されることによって、猫によって排泄された尿がトレー４へと溢れるという不具合の発生を防ぐことができる。
【００３７】
図８（ｂ）に示すペット用採尿セットにおいては、使用時に、非吸水性部材７が、ペット用トイレシート１７の液透過性部材１６上に重なるとともに、仕切層３に直面するように、トレー４内に配置される。尚、この場合も、非吸水性部材７の表面に、図５に示す第１白色部７１及び色見本部７２を設けるようにしても良い。或いは、図示しないが、ペット用トイレシート１７の液透過性部材１６の表面に第２白色部を設けてもよい。吸水可能部位である液透過性部材１６が第２白色部を有するときには、ペット用トイレシート１７上に重ねられる非吸水性部材７が透明部を有することが好ましい。ペット用トイレシート１７が第２白色部を有し、且つ非吸水性部材７が透明部を有するときには、ペット用トイレシート１７の液透過性部材１６の第２白色部に重なる位置に非吸水性部材７の透明部を設けるようにしても良い。このようにペット用トイレシート１７の第２白色部上に非吸水性部材７の透明部を重ねることによって、非吸水性部材７上に落下して溜まった尿の色を、非吸水性部材７の透明部を通してペット用トイレシート１７の液透過性部材１６の第２白色部の白色と対比することができ、尿の色を一層鮮明に判別することができる。
【００３８】
図８（ｂ）に示す例においては、猫によって排泄されてトレー４に向かって落下する尿は、非吸水性部材７によって受けられて採取される。仮に、尿が非吸水性部材７から溢れたとしても、溢れた尿は、その下のペット用トイレシート１７の吸収体１９によって吸収される。そのため、尿によってトレー４を一層汚しにくくなっている。また、排泄された尿量が多く、スポイト等の吸引具８、又はしょう油差し等の吸引可能な容器３０で尿の全量を吸い取ってトレー４内の尿を除去することが困難な場合にも、非吸水性部材７の一端を持ち上げれば、残った尿がペット用トイレシート１７の吸収体１９にそのまま吸収される。このように非吸水性部材７の下にペット用トイレシート１７を配置すれば、簡単に尿の後処理ができ、かつトレー４が汚れることがない。特に、図示のように面積がトレー４の底面積よりも大きなペット用トイレシート１７をトレー４上に敷設し、その周縁をトレー４の側壁４２〜４４に沿って立ち上げれば、尿のトレー４への漏れが確実に防がれる。
【００３９】
図８（ｃ）に示すペット用採尿セットは、シート状の吸収性部材としてのペット用トイレシート１７を更に備えている。該ペット用採尿セットにおいては、非吸水性部材７が、ペット用トイレシート１７を構成する非吸水性部材１８である。図８（ｃ）に示すペット用採尿セットにおいては、使用時に、非吸水性部材１８が仕切層３に直面するように、トレー４内にペット用トイレシート１７が配置される。非吸水性部材１８が仕切層３に直面するように配置されているので、猫によって排泄されてトレー４に向かって落下する尿は、非吸水性部材１８によって受けられて採取される。尚、この場合も、非吸水性部材１８に、図５に示す第１白色部７１及び色見本部７２を設けるようにしても良い。
【００４０】
図８（ｃ）に示す例においては、ペット用トイレシート１７の非吸水性部材１８は、トレー４の底面積よりも大きな面積を有している。該非吸水性部材１８は、ペット用採尿セット１０の使用時に、その周縁部がトレー４の側壁４２〜４４に沿って立ち上げるようにトレー４内に配置される。このように配置されることによって、非吸水性部材１８上に落下して溜まった尿がトレー４へと溢れるという不具合の発生を防ぐことができ、ペットから排泄される尿を簡単に採取できる。
【００４１】
尚、以上はペットが猫である場合の該猫の尿を採取するためのペット用採尿セットとこれを用いた尿採取方法について説明したが、本発明は、猫以外の任意のペットの尿の採取に対しても同様に適用可能である。
【００４２】
その他、本発明は、以上説明した実施の形態に適用が限定されるものではなく、本発明の趣旨を損なわない範囲で、種々の変形が可能であり、例えばトレー４等の引出しの無いタイプのトイレ本体であってもよい。また、以上説明した実施の形態における各構成要件は、本発明の趣旨を損なわない範囲で、適宜組み合わせて実施できる。
【符号の説明】
【００４３】
１            ペット用トイレ
２            トイレ本体
３            仕切層
４            トレー
４１        トレーの底壁
４２〜４４  トレーの側壁（周壁）
５            外容器
６            内容器
７            非吸水性部材
７１        第１白色部
７２        色見本部
８            吸引具
９            容器
１０          ペット用採尿セット
１７          ペット用トイレシート（吸水性部材）
３０          容器
Ａ            上層部分
Ｂ            下層部分
【図１】
2020080788.tif 000003
【図２】
2020080788.tif 000004
【図３】
2020080788.tif 000005
【図４】
2020080788.tif 000006
【図５】
2020080788.tif 000007
【図６】
2020080788.tif 000008
【図７】
2020080788.tif 000009
【図８】
2020080788.tif 000010